(57)【要約】      （修正有）【課題】両辺付近に留め部を有しない一般的な襟巻きであっても所望の位置で襟巻きを留めることができる襟巻き用留め具を提供する。【解決手段】襟巻き用留め具１は、角丸断面により構成される材料を用いて任意の方向に伸びる受け部２と、針金、ゴム管、コイルばねその他の角丸断面により構成される弾性材料を用いて受け部２の延在方向と略同一の方向に伸びる挟み部３と、受け部２の一端付近と挟み部３の一端付近とを接続するヒンジ部４と、受け部２の他端付近と挟み部３の他端付近とを自在に留める留め部５と、を備える。【選択図】図３
0003205768.tif 000002
【実用新案登録請求の範囲】
【請求項１】
角丸断面により構成される材料を用いて任意の方向に伸びる受け部と、
針金、ゴム管、コイルばねその他の角丸断面により構成される弾性材料を用いて前記受け部の延在方向と略同一の方向に伸びる挟み部と、
前記受け部の一端付近と前記挟み部の一端付近とを接続するヒンジ部と、
前記受け部の他端付近と前記挟み部の他端付近とを自在に留める留め部と、
を備えることを特徴とする襟巻き用留め具。
【請求項２】
前記受け部及び前記挟み部のうちの一方又は両方は滑り止め部を有しており、
前記挟み部は、使用者の手の力によってその変形が可能であってその変形後の形状維持が可能な弾性材料を用いて構成されている
ことを特徴とする請求項１に記載の襟巻き用留め具。
【考案の詳細な説明】
【技術分野】
【０００１】
本考案は、襟に巻いたストールやマフラー等の襟巻きに好適に利用される襟巻き用留め具に関する。
【背景技術】
【０００２】
従来の襟巻き用留め具は、首に掛けた襟巻き及び肩掛けの左右片を喉元、胸元、肩周辺で合わせる部分の一方の片に磁石を、それに対応する他方の片に磁石、又は磁石が吸着できる資材を取着した（特許文献１の請求項１を参照）。
【先行技術文献】
【特許文献】
【０００３】
【特許文献１】特開２０１１−２２６０３７号公報
【考案の概要】
【考案が解決しようとする課題】
【０００４】
しかしながら、従来の襟巻き用留め具は襟巻きの両辺付近に磁石等の留め部を内蔵することによってはじめてその機能を発揮する専用品であるため、それら留め部を内蔵しない一般的な襟巻きにおいてその機能を発揮することができないという問題があった。
【０００５】
そこで、本考案はこれらの点に鑑みてなされたものであり、襟巻きの両辺付近に留め部を有しない一般的な襟巻きにであっても所望の位置で襟巻きを留めることができる襟巻き用留め具を提供することを本考案の目的としている。
【課題を解決するための手段】
【０００６】
（１）前述した目的を達成するため、本考案の襟巻き用留め具は、角丸断面により構成される材料を用いて任意の方向に伸びる受け部と、針金、ゴム管、コイルばねその他の角丸断面により構成される弾性材料を用いて受け部の延在方向と略同一の方向に伸びる挟み部と、受け部の一端付近と挟み部の一端付近とを接続するヒンジ部と、受け部の他端付近と挟み部の他端付近とを自在に留める留め部と、を備えることを特徴とする。
【０００７】
これにより、留め部を内蔵しない一般的な襟巻きであっても、髪留めと同様の使い勝手で襟巻きの両端付近を留めることができる。また、本考案の襟巻き用留め具で襟巻きを留めた際、挟み部が襟巻きの厚みに応じて弾性変形するので、ストールのような薄い生地の襟巻きだけでなく、マフラーのような厚い生地の襟巻きも留めることができる。また、受け部及び挟み部に用いられる材料が角丸に加工されているので、本考案の襟巻き用留め具で襟巻きを留めた際にその襟巻きが受け部又は挟み部の角に引っかかって損傷することを防止することができる。
【０００８】
（２）また、本考案の襟巻き用留め具において、受け部及び挟み部のうちの一方又は両方は滑り止め部を有しており、挟み部は、使用者の手の力によってその変形が可能であってその変形後の形状維持が可能な弾性材料を用いて構成されていることを特徴とすることが好ましい。
【０００９】
これにより、襟巻きにおける襟巻き用留め具に留められた部分を潰し過ぎることなく留めることができるので、襟巻きのデザイン性を崩すことなく襟巻きを留めることができる。また、襟巻きの厚さに応じて挟み部を予め変形させることができるので、挟み部を変形させずに厚い襟巻きを留めた際と比較して、ヒンジ部や留め部に生じる過度な圧力を軽減させることができる。
【考案の効果】
【００１０】
本考案の襟巻き用留め具によれば、髪留めと同様の使い勝手で襟巻きの両端付近を留めることができるので、襟巻きの両辺付近に留め部を有しない一般的な襟巻きにであっても所望の位置で襟巻きを留めることができるという効果を奏する。
【図面の簡単な説明】
【００１１】
【図１】図１は、本実施形態の襟巻き用留め具を示す使用図である。
【図２】図２は、本実施形態の襟巻き用留め具において留め部が閉じられた状態を示す斜視図である。
【図３】図３は、本実施形態の襟巻き用留め具において留め部が開かれた状態を示す斜視図である。
【図４】図４は、本実施形態の挟み部が変形され、かつ、その形状が維持された状態を示す斜視図である。
【図５】図５は、他の実施形態の襟巻き用留め具を示す使用図である。
【図６】図６は、他の実施形態の襟巻き用留め具を示す正面側斜視図である。
【図７】図７は、他の実施形態の襟巻き用留め具を示す背面側斜視図である。
【考案を実施するための形態】
【００１２】
［１］構成
以下、本考案の襟巻き用留め具の実施形態を説明する。
【００１３】
［１−１］襟巻き用留め具
襟巻き用留め具１は、図１〜４に示すように、受け部２と、挟み部３と、ヒンジ部４と、留め部５と、を備えることを特徴とする。
【００１４】
［１−２］受け部２
首に巻かれた襟巻きの重ね合わせた部分を襟巻き用留め具１で留めたとき、受け部２は襟巻きの表側に配置される。この受け部２は、角丸断面により構成される材料を用いて、任意の方向に伸びている。
【００１５】
受け部２の材料としては、軽量であって、かつ、襟巻きに損傷を与えないために、表面の滑りが良いゴム管を用いることが好ましい。例えば、本実施形態の受け部２の材料としては、株式会社トヨックス製トップランホースのようなゴム管が用いられている。また、ゴム管が用いられる場合、その両端開口部はエポキシ樹脂粘土により封止されている。
【００１６】
また、受け部２は、滑り止め加工等を施した滑り止め部２１を有していることが好ましい。本実施形態の受け部２はゴム管なので、ゴム管の表面が滑り止め部２１として機能する。
【００１７】
［１−３］挟み部３
首に巻かれた襟巻きの重ね合わせた部分を襟巻き用留め具１で留めたとき、挟み部３は襟巻きの裏側に配置される。これにより挟み部３は襟巻きによって隠れる。この挟み部３は、弾性材料を用いて、受け部２の延在方向と略同一の方向に伸びている。
【００１８】
また、挟み部３は、図４に示すように、使用者の手の力によってその変形が可能であってその変形後の形状維持が可能な材料を用いて構成されていることが好ましい。
【００１９】
挟み部３の弾性材料としては、針金、ゴム管、コイルばねその他の軽量で角丸断面（角が丸くなっている断面）の材料により構成されていることが好ましい。本実施形態の挟み部３の弾性材料としては、日本化線株式会社製ワイヤ（商品名：頑固自在）などのように樹脂や塗装などにより表面が覆われた針金を用いている。
【００２０】
また、挟み部３は、滑り止め部３１を有していることが好ましい。本実施形態の挟み部３の滑り止め部３１は、挟み部３の外側をらせん状に覆う細い針金により構成されている。
【００２１】
［１−４］ヒンジ部４
ヒンジ部４は、受け部２の一端付近と挟み部３の一端付近とを接続する。このヒンジ部４は、例えば針金を折り曲げた部分などのように、受け部２及び挟み部３と一体に形成されていても良い。反対に、このヒンジ部４は、例えば蝶番などのように、受け部２及び挟み部３と別体に形成されていても良い。
【００２２】
［１−５］留め部５
留め部５は、受け部２の他端付近と挟み部３の他端付近とを自在に留める。留め部５は、挟み部３の端部を引っ掛けるフック状に形成されていても良いし、挟み部３の端部を機械的に固定する固定具を用いても良い。
【００２３】
［１−６］その他の構成
なお、本実施形態の襟巻き用留め具１においては、図２及び図３に示すように、一本の針金を２つ折りにしたものの略中央を折り曲げた部分をヒンジ部４としている。また、そのヒンジ部４から伸びる一方の線状部分を挟み部３としている。また、そのヒンジ部４から伸びる他方の線状部分を受け部２の内部に貫通させており、受け部２の内部から外に露出した他方の線状部分の端部をフック状に折り曲げた部分を留め部５としている。
【００２４】
［２］作用効果
次に、本実施形態の襟巻き用留め具１１の効果を説明する。
（１）本実施形態の襟巻き用留め具１は、角丸断面により構成される材料を用いて任意の方向に伸びる受け部２と、針金、ゴム管、コイルばねその他の角丸断面により構成される弾性材料を用いて受け部２の延在方向と略同一の方向に伸びる挟み部３と、受け部２の一端付近と挟み部３の一端付近とを接続するヒンジ部４と、受け部２の他端付近と挟み部３の他端付近とを自在に留める留め部５と、を備えることを特徴とする。
【００２５】
これにより、留め部５を内蔵しない一般的な襟巻きであっても、髪留めと同様の使い勝手で襟巻きの両端付近を留めることができる。また、本実施形態の襟巻き用留め具１で襟巻きを留めた際、挟み部３が襟巻きの厚みに応じて弾性変形するので、ストールのような薄い生地の襟巻きだけでなく、マフラーのような厚い生地の襟巻きも留めることができる。また、受け部２及び挟み部３に用いられる材料が角丸に加工されているので、本実施形態の襟巻き用留め具１で襟巻きを留めた際にその襟巻きが受け部２又は挟み部３の角に引っかかって損傷することを防止することができる。
【００２６】
（２）また、本実施形態の襟巻き用留め具１において、受け部２及び挟み部３のうちの一方又は両方は滑り止め部を有しており、挟み部３は、使用者の手の力によってその変形が可能であってその変形後の形状維持が可能な弾性材料を用いて構成されていることを特徴とすることが好ましい。
【００２７】
これにより、襟巻きにおける襟巻き用留め具１に留められた部分を潰し過ぎることなく留めることができるので、襟巻きのデザイン性を崩すことなく襟巻きを留めることができる。また、襟巻きの厚さに応じて挟み部３を予め変形させることができるので、挟み部３を変形させずに厚い襟巻きを留めた際と比較して、ヒンジ部４や留め部５に生じる過度な圧力を軽減させることができる。
【００２８】
すなわち、本実施形態の襟巻き用留め具１によれば、髪留めと同様の使い勝手で襟巻きの両端付近を留めることができるので、襟巻きの両辺付近に留め部５を有しない一般的な襟巻きにであっても所望の位置で襟巻きを留めることができるという効果を奏する。
【００２９】
なお、本考案は、前述した実施形態などに限定されるものではなく、必要に応じて種々の変更が可能である。
【００３０】
例えば、他の実施形態においては、図５〜７に示すように、受け部２は、任意の方向に伸びていることを条件に、針金を複雑に折り曲げて得た装飾形状により構成されていており、飾りを有していてもよい。挟み部３は、図示はしないが、受け部２と同様に装飾形状により構成されており、飾りを有してもよい。
【符号の説明】
【００３１】
１  襟巻き用留め具
２  受け部
３  挟み部
４  ヒンジ部
５  留め部
１０  襟巻き
２１、３１  滑り止め部
【図１】
0003205768.tif 000003
【図２】
0003205768.tif 000004
【図３】
0003205768.tif 000005
【図４】
0003205768.tif 000006
【図５】
0003205768.tif 000007
【図６】
0003205768.tif 000008
【図７】
0003205768.tif 000009